(57)【要約】【課題】本考案は、ブラケットが露呈せず、安価に製造可能な構成を備えた電球ソケットを提供することを課題とする。【解決手段】電球を取付ける略筒状のソケット本体を有し、ソケット中心軸線５がなす傾斜角αが壁面に対して鋭角を形成するように当該壁面に電球を設置する際に用いられる電球ソケットにおいて、ソケット本体（１０）の基端部（１０ａ）を、該ソケット中心軸線５に対して斜めにカットしたアンダカット面（１００）を形成し、前記基端部（１０ａ）にはアンダカット面（１００）と連続する当接面（１０１ａ）を備えた複数のリブ（１０１）を形成し、該リブ（１０１）には壁面（３）に対する取付手段を設けたことを特徴とする電球ソケットを、解決手段とする。【選択図】　　　　図３
0003096993.tif 000002
【実用新案登録請求の範囲】
【請求項１】
電球を取付ける略筒状のソケット本体を有し、ソケット中心軸線５がなす傾斜角αが壁面に対して鋭角を形成するように当該壁面に電球を設置する際に用いられる電球ソケットにおいて、
ソケット本体（１０）の基端部（１０ａ）を、該ソケット中心軸線５に対して斜めにカットしたアンダカット面（１００）を形成し、前記基端部（１０ａ）にはアンダカット面（１００）と連続する当接面（１０１ａ）を備えた複数のリブ（１０１）を形成し、該リブ（１０１）には壁面（３）に対する取付手段を設けたことを特徴とする電球ソケット。
【請求項２】
ソケット本体（１０）における基端部（１０ａ）側に内接する蓋体（１１）を設け、該蓋体（１１）には、壁面（３）に対する差込凸部（１１０）を形成したことを特徴とする請求項１記載の電球ソケット。
【請求項３】
差込凸部（１１０）の中央近傍には、配線コード通し穴（１１１）と、配線コード（４）を取外すための配線コード脱着用穴（１１２）とを形成し、蓋体（１１）の内面側には、配線コード脱着用穴（１１２）から挿入される細線状の工具等で押動可能な配線コード押えピン（１１３）を備え、配線コード通し穴（１１１）から配線コードを挿入して、前記配線コード押えピン（１１３）と中片端子（１０３）若しくは側片端子（１０４）とで配線コードを挟持して導通可能とし、前記工具等で配線コード押えピン（１１３）を押動して、配線コードの挟持状態を解除することを特徴とする請求項１記載の電球ソケット。
【考案の詳細な説明】
【０００１】
【考案が属する技術分野】
本考案は、屋内外の壁面に対して斜め上向きに電球を取付ける際に使用する電球ソケットに関する。
【０００２】
【従来の技術】
従来、壁面に対して装飾用のランプを設置する際に、特に、ソケット中心軸線が、壁面に対して鋭角を形成するように、ランプを壁面に対して斜め上向きに設置しようとする場合には、ソケットを固定するためのブラケットを使用することが一般的であり、例えば、実開昭５６−１１７４１２号（以下、先行技術１という。）に開示されるように、電球ソケットを取付けた台板に直径に段差を有する一対の長螺子をその大径部において固定し、前記台板を木螺子によって取付面に取付け、前記一対の長螺子の小径部に嵌合する一対の貫通穴を有する反射板を前記長螺子の段差部に嵌め、且つ前記反射板及び電球ソケットを覆うセードを前記一対の長螺子の小径部にナットで取り付けてなる照明器具において開示される当該電球ソケット及びブラケット（台板）等や、実開昭５９−４１０７号（以下、先行技術２という。）に開示されるように、器具本体と、この器具本体に取付けた光源と、前記器具本体に取付けて前記光源の少なくとも前面側を覆ったフロントパネルと、主面を前向きとして前記光源の前側部から後側部にかけて光源から遠ざかるように階段状に配置した状態で前記フロントパネルの後面側にフロントパネルから側方に張り出して固定したルーバとを備えた照明器具において開示される電球ソケット及びブラケット（ソケット台）を、公知手段として挙げることができる。
【０００３】
【考案が解決しようとする課題】
上記先行技術１及び先行技術２に係る考案は、いずれもソケットを固定するため、当該ソケットと壁の間に、ブラケットを介在させる必要があった。このため、ブラケットが壁面に大きく露呈することとなり、非常に外観上の体裁がよくなかった。当該先行技術１及び先行技術２に係る考案においては、ルーバーを設けることを要件としているが、一般的使用態様としてはルーバーを用いずに電球を露出して使用することもあり、このような場合には更にブラケットが露呈し、非常に体裁が悪いものとなる。
【０００４】
また、ブラケットを独立した部品として別に製造する必要があることから、製造コストの上昇を招来するものであった。
【０００５】
一方、電球ソケットの取付作業や取付後の断線等が生じた場合等の修理、メンテナンス作業が優れていることが、非常に望ましい。
【０００６】
本考案は以上の事情に鑑みてなされたものであり、ブラケットが露呈せず、安価に製造可能で、更には、取付、取外し作業にも優れた構成を備えた電球ソケットを提供することを、考案が解決しようとする課題とするものである。
【０００７】
【課題を解決するための手段】
本考案は、電球を取付ける略筒状のソケット本体を有し、電球の中心軸線が壁面に対して鋭角を形成するように当該壁面に電球を設置する際に用いられる電球ソケットにおいて、ソケット本体の基端部を、該ソケット本体の中心軸線に対して斜めにカットした形状のアンダカット面を形成し、基端部には前記アンダカット面と連続する当接面を有する複数のリブを形成し、該リブには壁面に対する取付手段を設けたことを特徴とする電球ソケットを、課題を解決するための手段とするものである。
【０００８】
【考案の効果】
本考案によれば、上記構成によって、ブラケットを不要とすることができ、ブラケットが外観上露出することがなく、極めて良好な美感を奏することができるとともに、前記ブラケットを使用しないことで、製造コストを安価なものとすることができる。
【０００９】
また、ソケット本体における基端部側に内接する蓋体を設け、該蓋体には、壁面に対する差込凸部を形成した構成によって、取付時の壁面に対する電球ソケットの位置決めを容易とするとともに、電球ソケットの取付強度を向上させ、耐久性、安全性に優れた電球ソケットを提供することができる。
【００１０】
更に、本考案の上記構成に加えて、差込凸部の中央近傍には、配線コード通し穴と、配線コードを取外すための配線コード脱着用穴とを形成し、蓋体の内面側には、配線コード脱着用穴から挿入される細線状の工具等で押動可能な配線コード押えピンを備え、配線コード通し穴から配線コードを挿入して、前記配線コード押えピンと中片端子若しくは側片端子とで配線コードを挟持して導通可能とし、前記工具等で配線コード押えピンを押動して、配線コードの挟持状態を解除する構成とした場合には、壁面への取付、取外し作業を極めて容易に行なうことができる。
【００１１】
【考案の実施の形態及び実施例】
図１は本考案の実施例に係る電球ソケットの側面図、図２は同実施例に係る電球ソケットの背面図、図３は図１のＡ−Ａ断面図、図４は同実施例に係る電球ソケットに電球を取付けた状態を示す側面図である。
【００１２】
本考案の実施例に係る電球ソケット１は、ソケット本体１０と、該ソケット本体１０内に設けられる、蓋体１１、端子保持台１０５、端子類、及び配線押えピン１１３及び各種螺子類からなるものである。
【００１３】
以下、当該実施例に係る電球ソケット１について詳細に説明すると、先ず、ソケット本体１０は、ポリフェニレンサルファイド（ＰＰＳ）樹脂によって成形され、図１乃至図３に示すように、先端部１０ｂ側が外径２４ｍｍ程度、長さ２８ｍｍ程度であり、壁面３に対して取付けられる基端部１０ａ側は外径２８．５ｍｍ程度となる略円筒状で、側面視において、壁面３に対するソケット中心軸線５がなす傾斜角αが、４５度の角度で傾斜するように基端部１０ａ側に、アンダーカット面１００を形成した構成である。
【００１４】
そして、ソケット本体１０の基端部１０ａ側の外周面には、前記アンダーカット面１００と連続する当接面１０１ａを有するリブ１０１を、相互に１８０度離れた位置として二箇所に形成している。該リブ１０１には、壁面３に対して螺子６を取付けるための螺子取付穴１０７を形成している。
【００１５】
一方、前記ソケット本体１０の先端部１０ｂ側には電球２のシェルの挿入口となる開口部１０６と、前記シェルと当該ソケット本体１０とを螺合するための雌螺子部１０８が設けられている。
【００１６】
次に蓋体１１は、ソケット本体１０の基端部１０ａ側に内接して、蓋固定螺子１１４でソケット本体１０に固着されている。蓋体１１は、前記ソケット本体１０のアンダーカット面１００よりも壁面３に対して２ｍｍ程度突出する差込凸部１１０を、当該蓋体１１の外面中央に形成している。
【００１７】
更に、差込凸部１１０の中央近傍には、配線コード通し穴１１１と、配線コード４を取外すための配線コード脱着用穴１１２が各二つずつ形成されており、蓋体１１の内面側には、配線コード脱着用穴１１２から挿入される細線状の工具等で押動可能な状態で当該配線コード脱着用穴１１２を塞ぎ、且つ、配線コード通し穴１１１から挿入される配線コード４の端部を後記中片端子１０３、側片端子１０４に対して挟着保持して導通できるようにすべく、当該配線コード押えピン１１３が、その一端を蓋体１１に固着した状態で設けている。
【００１８】
また、端子保持台１０５は、前記蓋体１１の内面中央に対して取付けられており、電球２のシェルと導通する側片端子１０４と、電球２のフィレットに設けられたはんだ部と導通する中片端子１０３とが、相互に接触しない状態で、当該側片端子１０４及び中片端子１０３を保持するものである。
【００１９】
本考案の実施例に係る電球ソケット１は、以上の構成を備えることによって、予め壁面３に設けた位置決め穴３０に対して差込凸部１１０を挿入した上で、螺子６を、リブ１０１の螺子取付穴１０７を挿通して壁面３にねじ込むことにより、電球ソケット１を壁面３に固定するものである。
【００２０】
即ち、蓋体１１の差込凸部１１０が位置決め機能を有するとともに、配線コード４を壁内面側へ送りこむとともに、アンダーカット面１００が壁面３に密着し、リブ１０１を用いて壁面３に固着する構成によって、ブラケットを不要とすることができ、ルーバーを用いない場合であっても、極めて良好な美感を奏することができるのである。
【００２１】
また、本実施例においては、前記したように、差込凸部１１０の中央近傍には、配線コード通し穴１１１と、配線コード４を取外すための配線コード脱着用穴１１２を形成し、蓋体１１の内面側には配線コード４の着脱手段となる二本の配線コード押えピン１１３が、配線コード脱着用穴１１２から挿入される細線状の工具等で押動可能な状態で当該配線コード脱着用穴１１２を塞ぎ、且つ、配線コード通し穴から挿入される配線コード４の端部を、後記中片端子１０３、側片端子１０４に対して接触保持できるように、当該配線コード押えピン１１３の一端を蓋体３に固着した状態で設けていることから、電気ソケット１に対する配線コード４の着脱を極めて簡単に行なうことができるのである。
【００２２】
具体的には、配線コード４を電球ソケット１に取付ける際には、当該配線コード４を外部から配線コード通し穴１１１に挿通すると、配線コード押えピン１１３が中片端子１０３及び側片端子１０４の基端部１０ａ側に対して、当該配線コード４の先端を強固に押しつける構成として、配線コード４を電球ソケット１に接続することができ、また、電球ソケット１から配線コード４を脱着する際には、細線状の工具等を配線コード脱着用穴１１２へ押し込み、配線コード押えピン１１３を押動することで、配線コード４の先端の挟持が解除され、容易に電球ソケット１から、当該配線コード４を取外すことができる。
【００２３】
尚、本実施例に係る電球ソケット１は前記したように壁面に対して４５度の角度で設置されているが、傾斜角αは上記実施例に開示されたものに限るものではなく、例えば、３０度、６０度等というように、アンダーカット面１００の形成角度を変更することで、自由に設定することができる。
【図面の簡単な説明】
【図１】本考案の実施例に係る電球ソケットの側面図である。
【図２】本考案の実施例に係る電球ソケットの背面図である。
【図３】本考案の実施例に係る電球ソケットのＡ−Ａ断面図である。
【図４】本考案の実施例に係る電球ソケットに電球取付けた状態を示す側面図である。
【符号の説明】
１　　　　電球ソケット
１０　　　ソケット本体
１０ａ　　基端部
１０ｂ　　先端部
１００　　アンダーカット面
１０１　　リブ
１０１ａ　当接面
１０３　　中片端子
１０４　　側片端子
１０５　　端子保持台
１０６　　開口部
１０７　　螺子取付穴
１０８　　雌螺子部
１１　　　蓋体
１１０　　差込凸部
１１１　　配線コード通し穴
１１２　　配線コード脱着用穴
１１３　　配線コード押えピン
１１４　　蓋固定螺子
２　　　　電球
３　　　　壁面
３０　　　位置決め穴
４　　　　配線コード
５　　　　ソケット中心軸線
６　　　　螺子
【図１】
0003096993.tif 000003
【図２】
0003096993.tif 000004
【図３】
0003096993.tif 000005
【図４】
0003096993.tif 000006